(57)【要約】【課題】情報検索装置に対してキーワードを与えて検索指示を行う情報検索端末に関し、検索者が操作する情報検索端末の周りから収集した情報を基にキーワード候補の単語を抽出して検索を行う情報検索端末を提供することを目的とする。【解決手段】本発明の情報検索端末は、同端末の周りの画面情報、画像情報、音声情報を収集し、各情報から文字情報を取得する情報収集手段と、取得した文字情報から検索者が入力した検索文字列に関連する単語を抽出してキーワード候補とするキーワード候補抽出手段と、検索文字列とキーワード候補の単語とをキーワードとして検索指示を行う検索指示手段とで構成する。【選択図】    図１
2004199395.tif 000002
【特許請求の範囲】
【請求項１】
情報検索装置にキーワードを含む検索情報を与えて検索指示を行う情報検索端末であって、
前記情報検索端末に付属する機器から、前記情報検索端末の周辺の情報を収集し、収集した情報から文字情報を取得する文字情報収集手段と、
前記文字情報の中から検索者によって入力された検索文字列に関連する単語を抽出し、抽出した単語をキーワード候補とするキーワード候補抽出手段と、
キーワード候補の単語と前記検索文字列とを検索用のキーワードとして前記情報検索装置に検索指示する検索指示手段と
を備えることを特徴とする情報検索端末。
【請求項２】
前記文字情報収集手段は、前記情報検索端末に付属する機器から周辺の画面情報、音声情報および画像情報を収集し、収集した前記画面情報、前記音声情報および前記画像情報から文字情報を取得する
ことを特徴とする請求項１記載の情報検索端末。
【請求項３】
前記キーワード候補抽出手段は、前記文字情報の中から検索者によって入力された検索文字列に一致する文字列の位置を検出し、前記位置を基準に単語を抽出する範囲を所定値に従って設定する抽出範囲設定手段と、前記抽出範囲に出現する単語の出現度数をカウントして、前記出現度数が所定の値以上であった単語をキーワード候補とする単語抽出手段とを有する
ことを特徴とする請求項１または請求項２記載の情報検索端末。
【発明の詳細な説明】
【０００１】
【発明の属する技術分野】
本発明は、検索用のキーワードを用いて文書情報等の検索を行う情報検索装置の情報検索端末に係わり、特に情報検索端末の周りから収集した情報からキーワードを抽出して情報検索装置に検索指示する情報検索端末に関する。
【０００２】
【従来の技術】
情報化社会にあって情報の重要性が改めて見なおされており、大量の情報を蓄えたデータベースから所望する情報を検索する技術が重要となってきている。従来では専門の検索技術を持ったサーチャが検索を行っていたが、インターネット等の普及により一般ユーザも情報検索装置に対して検索を行うことが当たり前になってきている。しかし一般ユーザにおいては、適切なキーワードを指定することが難しく、求める情報がなかなか見つからない、といった場合が多く見受けられる。このため、キーワードの指定を支援する手段として多くの従来技術が提案されている。それらの従来技術は、大きく以下の３つに分類される。
【０００３】
（１）予め用意した同義語、類似語、関連語等の辞書を利用する方法。（例えば、特許文献１、２）
（２）検索ログやユーザのプロファイルを利用する方法。（例えば、特許文献３）
（３）最初に得られた検索結果を利用する方法。（例えば、特許文献４）
これらの技術は、ユーザが意識していないキーワードをユーザに提示し、検索用キーワードとして利用する点は同じであるが、提示するキーワードを抽出するリソースが異なっているため、これらの技術で得られる効果が異なる。
【０００４】
【特許文献１】
特開平５−２８１９９公報（第２頁、図１）
【０００５】
【特許文献２】
特開平６−３０９３６２公報（第２頁、図１）
【０００６】
【特許文献３】
特開平６−３１４２９６公報（第２頁、図１）
【０００７】
【特許文献４】
特開平１０−２３２８７０公報（第１頁、図３）
【０００８】
【発明が解決しようとする課題】
上記に示したように、一般ユーザも情報検索が当たり前に行われるようになってきたが、指定したキーワードが適切でないと期待した検索結果が得られない、という場合が多く見受けられた。
従来技術として提案された同義語等の辞書を利用した方法では、体系化された辞書をリソースとするため常に安定したキーワードを提示できるが、同義語等の辞書が固定しているため別の検索意図を持つユーザに対しても同一のキーワードが提示されてしまう問題がある。
【０００９】
検索ログを利用した方法では、ユーザ別に行動パターンを管理するため、異なるユーザには異なったキーワードを提示できる。しかしながら、あるユーザが普段とは異なった行動パターンで検索したいときでも普段の行動パターンと同様のキーワードが提示されてしまう、と言う問題がある。
また、ユーザのプロファイルを利用する方法では、ユーザのプロファイルに合わせたキーワードを提示できるが、プロファイルに登録した属性情報と別の検索意図を持つ場合にはプロファイルを更新する手間が掛かった。
【００１０】
さらに、最初に得られた検索結果の文書を利用する方法では、得られた文書の違いにより異なったキーワードを提示できるが、ユーザは検索結果の文書を全て読み、それぞれの文書が所望する文書であるかを判定する必要があった。
本発明は上記の問題に鑑みて考案されたもので、検索者であるユーザの周り情報を利用することで検索意図に合わせたキーワードの提示ができることを目的とする。
【００１１】
【課題を解決するための手段】
上記課題を解決するため、本発明の情報検索端末は以下のように構成される。
（１）第１の発明
第１の発明の原理を図１を用いて説明する。本発明の情報検索端末は、文字情報収集手段１、キーワード候補抽出手段２および検索指示手段３から構成する。
【００１２】
文字情報収集手段１は、情報検索装置に検索情報を与える情報検索端末に付属する機器から周辺に存在する情報を収集し、収集した情報の中から文字情報を取得することを行う。情報検索端末に付属する機器とは、例えばディスプレイやマイクロフォン、ＣＣＤカメラなどであり、周辺の情報とは、例えばディスプレイ上の画面情報であったり、情報検索端末の近傍の音声情報や画像情報などである。
【００１３】
キーワード候補抽出手段２は、文字情報収集手段１で取得された文字情報の中から、検索者によって入力された検索文字列に関連する単語を抽出し、抽出した単語をキーワード候補とするものである。
検索指示手段３は、キーワード候補抽出手段２で求めた単語と、検索者が入力した検索用文字列とを検索のためのキーワードとして、情報検索装置に送信して検索の指示を行うものである。
【００１４】
第１の発明によれば、情報検索端末を操作する検索者の周りの情報を収集して、その中から検索者が意図する単語をピックアップしてキーワードとすることができる。このため、予め登録してある同義語辞書やプロファイルからキーワードを求める従来の方法と較べてキーワードが固定化されることがない。
（２）第２の発明
第２の発明は、文字情報収集手段１で収集される情報が、画面情報、音声情報および画像情報であり、これらの情報から文字情報を取得するものである。画面情報は情報検索端末上の表示装置の画面から得られた情報で、例えば情報検索端末で受信したメールが画面に表示されていればその表示している画面から文字情報を取得する。音声情報は情報検索端末近傍の音声（例えば、検索者と隣の人との会話など）をマイクロフォンで収集した情報である。この音声情報を既存の音声解析技術を行って文字情報を取得する。画像情報は、情報検索端末近傍の画像の情報で、例えば検索者がある資料を見ていたとすれば、その資料をＣＣＤカメラなどで撮影した画像を記録した情報であり、この画像情報に対して文字認識技術により文字情報を取得する。
【００１５】
キーワード候補抽出手段２および検索指示手段３は第１の発明と同様である。第２の発明によれば、メールやＷｅｂなど情報検索端末に表示中の画面や、検索者が情報検索端末の前で例えば他の人と表示中のＷｅｂ画面の内容について話した音声、あるいは検索者が見ている資料（例えばパンフレットなど）を撮影した画像からキーワード候補の単語を抽出することができる。
（３）第３の発明
第３の発明は、キーワード候補抽出手段２が、文字情報収集手段１で収集した文字情報の中から検索者によって入力された検索文字列と一致する文字列の位置を検出して、その検出した位置に対して例えば前後数十文字、あるいは前後数行など所定の値に従って抽出範囲を定める抽出範囲設定手段と、その範囲内における同一の単語についてその数をカウントし、所定の値以上の単語を求めることを行う。即ち、単語抽出範囲の中で同一単語が出現する度数を求め、ある度数以上の単語を得るものである。そして、得られた単語と検索者が入力した検索文字列とを検索のためのキーワードとして情報検索装置に指示を行うものである。
【００１６】
第３の発明によれば、検索者が入力した検索文字列と高い関連性を持った用語として取得できる。即ち、質の高いキーワードを得ることができる。
【００１７】
【発明の実施の形態】
次に、本発明について図面を参照して実施形態を説明する。
（実施形態その１）
実施形態その１は、情報検索端末の周りの情報として画面、音声、画像の各情報を収集し、それらの情報からキーワード候補を抽出するものである。
【００１８】
図２（ａ）は、情報検索端末を含む全体の構成を示すもので、情報検索端末１０はネットワーク２０を介して情報検索装置３０と接続している。ネットワーク２０は、図示しない電子メールサーバやＷｅｂサイトと接続されている。
情報検索端末１０は、例えばパーソナルコンピュータであって、ＣＰＵ、メモリ、ハードディスク、各種インターフェースを備えるものである。そして、ディスプレイ５０、カメラ６０、マイクロフォン７０、キーボード８０を接続している。ディスプレイ５０は、検索者の入力の表示や検索結果の出力の表示、電子メールやＷｅｂなどの画面表示を行う。カメラ６０は例えばＣＣＤカメラで、情報検索端末１０の近傍を撮影し、画像情報として取り込む。マイクロフォン７０は、情報検索端末１０の近傍の音声を音声情報として取り込むものである。キーボード８０は検索者が検索文字列の入力を行ったり、検索指示を情報検索装置３０に行う。
【００１９】
また、情報検索端末１０の内部の構成は図２（ｂ）に示すものであって、文字情報収集部１１、抽出範囲設定部１２、単語抽出部１３および検索指示部１４の処理部を有している。これらの処理部はプログラムであり、メモリ上でＣＰＵ制御により処理の実行が行われる。また、画面情報格納部１０１、画像情報格納部１０２、音声情報格納部１０３、文字情報格納部１０４およびストップワード・リスト格納部１０５の各格納部を有している。画面情報格納部１０１、画像情報格納部１０２、音声情報格納部１０３はそれぞれディスプレイ５０、カメラ６０、マイクロフォン７０から取得した情報を格納するのもであり、物理的にはハードディスクに格納される。文字情報格納部１０４は画面情報、画像情報、音声情報の各情報から取得した文字情報を格納するものである。ストップワード・リスト格納部１０５は、一般的な名詞（例えば、「世界各国」など）をキーワード候補の単語から棄却するもので、予め棄却する単語が登録されている。
【００２０】
情報検索端末１０はこの他に図示しない音声情報を解析して文字情報を取り出す音声認識プログラム、画像情報を解析して文字情報を取り出す文字認識プログラム、文字情報を品詞毎の単語に切り出す形態素解析プログラムなどを備えている。また、図２（ｂ）には、情報検索装置３０から送信された検索結果を表示する機能については図に示していない。
【００２１】
次に、文字情報収集部１１、抽出範囲設定部１２、単語抽出部１３および検索指示部１４の各処理の説明を行う。まず、文字情報収集部１１は、ディスプレイ５０、カメラ６０およびマイクロフォン７０からそれぞれ画面情報、画像情報、音声情報を収集し、画面情報格納部１０１、画像情報格納部１０２、音声情報格納部１０３に格納する。より具体的にこれらの情報を説明するために、例えば検索者があるＷｅｂ画面を表示しており、その内容に関連するパンフレットを見ながら隣席の人と情報検索端末１０の前で話を行っている状況を想定する。情報検索端末１０に例えば図３に示すように電子メールのウインドウが表示されている場合、このウインドウの情報が画面情報格納部１０１に格納される。カメラ６０で撮像した画像情報には検索者が見ているパンフレットの画像もあり、例えば検索を行う時点から前の３分間に撮像された情報である。音声情報も画像情報と同様に検索を行う時点から前の３分間の音声を記録した情報である。画像情報も音声情報も所定の設定時間エンドレスにこれらの情報を記録しておけばよい。次に、各情報の格納部から、文字認識プログラムや音声認識プログラムを用いてそれぞれの情報から文字情報を取得し、文字情報格納部１０４に格納する。
【００２２】
抽出範囲設定部１２は、検索者がキーボード８０から入力した検索文字列を受け取り、この検索文字列が文字情報格納部１０４に格納されている文字情報と一致する文字列の位置を求める。そして、その文字列の位置から例えば前後数十文字の範囲を単語抽出の範囲（単語抽出範囲）と定める。図４（ａ）は文字情報に対する単語抽出範囲の設定を示すもので、文字情報は図３の画面のウインドウ画面から取得したものである。検索者が検索文字列として「巨人」を入力したとき、文字情報から「巨人」の位置を見つけ、その位置から前後数十文字を単語抽出範囲と定めたことを示している。図４（ａ）では、一つの画面から取得した文字情報において、２カ所に「巨人」の文字列を検出し、単語抽出範囲はそれに伴って２カ所設定された状態を示している。文字情報格納部１０４に格納にされた他の画面情報や画像情報、音声情報から得られた文字情報に対しても同様に単語抽出範囲を設定する。
【００２３】
単語抽出部１３は、それぞれの単語抽出範囲の文字情報に対して形態素解析を行い、品詞に分解された単語の中から名詞のみを取り出す。取り出した単語について出現度数をカウントし、所定の出現度数を満たす単語をキーワード候補とする。図４（ｂ）は、図４（ａ）の文字情報から得られたそれぞれの単語（名詞として取り出したもの）について出現度数を括弧内の数字で示している。他の画面や画像、音声の情報から得られた単語についても同一の単語については出現度数を合計した値とする。例えば、所定の出現度数が「２」と決められていれば、図４（ｂ）では「２」以上となる「ビッグフット」、「雪山」および「伝説」がキーワード候補の単語となる。
【００２４】
検索指示部１４は、単語抽出部１３で得られたキーワード候補の単語と検索者が入力した検索文字列をキーワードとして情報検索装置に検索の指示を行う。
次に、実施形態その１のフローを図５により説明する。まず、検索者からキーボード８０を介して検索意図する文字列（検索文字列）を受け取る。続いて、ディスプレイ５０上に表示されている画面情報、カメラ６０から画像情報およびマイクロフォン７０から音声情報を収集し、それぞれ画面情報格納部１０１、画像情報格納部１０２、音声情報格納部１０３に格納する。画像情報および音声情報は情報収集処理の直前の数分間（例えば、３分間）に記録された情報とする。各格納部の情報から文字認識プログラムや音声認識プログラムを用いて文字情報を取得し、文字情報格納部１０４に格納する。以上の処理は、図２（ｂ）の文字情報収集部１１で行われる。（Ｓ１〜Ｓ３）。
【００２５】
文字情報格納部１０４の文字情報に対して検索者が入力した検索文字列と一致する文字列を見つけ、その位置を基準として前後に所定の文字数分（例えば、３０文字前後）を単語抽出範囲として定める。検索文字列と一致した文字列が複数あれば、複数の単語抽出範囲が設定されることになる。この処理は、図２（ｂ）の抽出範囲設定部１２で行われる。（Ｓ４）。
【００２６】
続いて、単語抽出範囲の文字情報に対して形態素解析を行い、その結果から品詞が名詞である単語を取り出す。通常、取り出した単語は同一の単語を含めて複数個がある単語群となる。この単語群に対し、ストップワード・リスト格納部１０５に登録してある単語を参照して、一致する単語があればキーワードとして適していないため単語群から棄却する。また、検索者が入力した検索文字列の単語も棄却する。棄却後の残った単語群に対して、同一の単語の個数をカウントし、単語とその個数を対応付けておく。即ち、単語抽出範囲における単語の種類と出現度数が求められたことになる。ここで、出現度数が所定の値以上（例えば「３」以上）の単語をキーワード候補とする。以上の処理は、図２（ｂ）の単語抽出部１３で行われる。（Ｓ５〜Ｓ８）。
【００２７】
求めたキーワード候補の単語と、検索者が入力した検索文字列とを検索のためのキーワードとして情報検索装置３０に検索指示を行う。情報検索装置３０は、情報検索端末１０からの指示に基づいて、文書ＤＢ４０を検索し検索結果を情報検索端末１０に通知し、ディスプレイ５０上に検索結果を表示する。（Ｓ９〜Ｓ１１）。
【００２８】
本実施形態により、例えば検索者が入力した検索文字列が「巨人」であった場合、この「巨人」の単語と図４（ｂ）のキーワード候補の出現度数が２以上の単語を用いて検索した場合、プロ野球の「巨人」ではなく「雪山に住む巨人」の情報が検出されることが期待できる。
本実施形態では画像情報と音声情報の収集を検索を行う時点から前の数分間の情報を用いているが、この情報を検索者に提示してその中から選ばせるようにしてもよい。また、同様にキーワード候補として求めた単語も検索者に提示し選択させるようにしてもよい。
【００２９】
単語抽出範囲の設定では、文字数の他に行数や段落を用いてもよい。また、音声情報から文字情報を得るとき、音声のピッチの高低に着目し、その部分の単語をキーワード候補としてもよい。さらに、文字情報から単語を抽出するとき、係り受けなどの言語情報を用いたり、構造解析や話題認識技術などを用いてより重要そうな単語をキーワード候補としてもよい。
（実施形態その２）
実施形態その１では、情報検索端末１０の周りの収集する情報を、画面、画像、音声として文字情報を取得し、それらの文字情報の中で検索文字列と一致する文字列を基に抽出範囲を定めてキーワード候補の抽出を行った。実施形態その２では、収集する情報を情報検索端末１０の画面情報のみとし、画面から求めた文字情報に検索文字列と一致する文字列が存在しなくても、画面の属性情報をもとに単語抽出範囲を定めて、キーワード候補を抽出するものである。
【００３０】
図６（ａ）は、情報検索端末を含む全体の構成を示すもので、情報検索端末１０は実施形態その１と同様にネットワーク２０を介して情報検索装置３０と接続している。そして、情報検索端末１０には、ディスプレイ５０とキーボード８０が接続されている。ディスプレイ５０とキーボード８０の役割は実施形態その１と同様である。
【００３１】
情報検索端末１０の内部の構成は、図６（ｂ）に示すとおりで、文字情報収集部１１、抽出範囲設定部１２、単語抽出部１３および検索指示部１４の各処理部と画面情報格納部１０１、文字／属性情報格納部１０６およびストップワード・リスト格納部１０５の各格納部とを有している（情報検索装置３０から送信された検索結果を表示する機能については図に示していない）。
【００３２】
文字情報収集部１１は、ディスプレイ５０から画面情報を収集して画面情報格納部１０１に格納し、収集した画面情報から画面上の文字情報と画面の属性情報（表示画面の重なりの順序や表示している範囲など）とを取得して文字／属性情報格納部１０６に格納する。
抽出範囲設定部１２は、文字情報に検索者が入力した検索文字列に一致する文字列がある場合は、その文字列を基準として単語抽出範囲を設定（実施形態その１と同様である）し、一致する文字列がない場合には画面の属性情報をもとに単語抽出範囲を設定する。
【００３３】
単語抽出部１３と検索指示部１４は実施形態その１と同様で、それぞれ設定された単語抽出範囲からキーワード候補の単語を抽出しストップワード・リスト格納部１０５の単語を棄却してキーワード候補を求めること、キーワード候補の単語と検索文字列とを検索のためのキーワードとして情報検索装置３０に検索指示する、ことを行う。
【００３４】
画面情報格納部１０１とストップワード・リスト格納部１０５は、実施形態その１と同一のものである。
文字／属性情報格納部１０６は、画面情報から文字情報と属性情報とを取得し、それらの情報を格納したものである。例えば、情報検索端末１０に図７のように３つのウインドウが表示されているときの文字情報と属性情報は、図８に示すように格納される。ファイル１は図７の左に表示されているウインドウから得られた情報のファイルであって、属性情報のファイル種類はＴｅｘ（テフ）であり、画面順序は上部から２番目、表示範囲は３４行から５９行を表示していることを示すものである。文字情報はウインドウから隠れた文字も含めたファイル全体の文字情報である。以下、ファイル２、ファイル３についても同様である。
【００３５】
次に、実施形態その２のフローを図９により説明する。検索者から入力された検索文字列を受け取り、続いて、情報検索端末１０のディスプレイ５０上に表示されている画面の情報を収集し、収集した情報を画面情報格納部１０１に格納する。一旦格納された情報（画面情報）から、ウインドウ単位に文字情報と属性情報を取得し、文字／属性情報格納部１０６に格納する。以上の処理は、図６（ｂ）の文字情報収集部１１で行われる。（Ｓ２１〜Ｓ２３）。
【００３６】
次に、文字／属性情報格納部１０６の各ファイル毎の文字情報を参照して、検索者が入力した検索文字列に一致する文字列が存在するかどうか、を調べる。文字列が存在する場合は、実施形態その１と同様にその位置を基準として所定の文字数を単語抽出範囲として設定する。検索文字列に一致する文字列が存在しないファイルに対しては、属性情報を参照して、例えば画面順序が「１」のもの（即ち、最上部に表示しているウインドウ）は、ファイル全体の文字情報を単語抽出範囲とし、画面順序が「２」以下のものは、属性情報の表示範囲に示される部分を単語抽出範囲とする。以上の処理は図６（ｂ）の抽出範囲設定部１２で行なわれる。（Ｓ２４〜Ｓ２６）。
【００３７】
以降のフローは、ステップ３１で検索者にキーワード候補の単語を提示し、選択させるようにしているが、他は実施形態その１と同一である。この処理は、図６（ｂ）の単語抽出部１３および検索指示部１４で行われる。（Ｓ２７〜Ｓ３４）。
本フローのステップ３０では、単語の出現度数をカウントして、所定値以上の出現度数の単語をキーワード候補としているが、画面順位と表示範囲の属性情報に基づいて出現度数に重みを付けを行うようにしてもよい。このようにすれば、例えば画面順位に重要度の意味を持たせることができる。
【００３８】
（付記１）  情報検索装置にキーワードを含む検索情報を与えて検索指示を行う情報検索端末であって、
前記情報検索端末に付属する機器から、前記情報検索端末の周辺の情報を収集し、収集した情報から文字情報を取得する文字情報収集手段と、
前記文字情報の中から検索者によって入力された検索文字列に関連する単語を抽出し、抽出した単語をキーワード候補とするキーワード候補抽出手段と、
キーワード候補の単語と前記検索文字列とを検索用のキーワードとして前記情報検索装置に検索指示する検索指示手段と
を備えることを特徴とする情報検索端末。
【００３９】
（付記２）  前記文字情報収集手段は、前記情報検索端末に付属する機器から周辺の画面情報、音声情報および画像情報を収集し、収集した前記画面情報、前記音声情報および前記画像情報から文字情報を取得する
ことを特徴とする付記１記載の情報検索端末。
（付記３）  前記キーワード候補抽出手段は、前記文字情報の中から検索者によって入力された検索文字列に一致する文字列の位置を検出し、前記位置を基準に単語を抽出する範囲を所定値に従って設定する抽出範囲設定手段と、前記抽出範囲に出現する単語の出現度数をカウントして、前記出現度数が所定の値以上であった単語をキーワード候補とする単語抽出手段とを有する
ことを特徴とする付記１または付記２記載の情報検索端末。
（付記４）  前記文字情報収集手段は、前記情報検索端末の画面情報を収集し、収集した画面情報から文字情報と所定の属性情報とを抽出し、
前記キーワード候補抽出手段は、抽出した文字情報に検索者から入力された検索文字列に一致する文字列があるときは、前記文字列の位置を基準に単語を抽出する範囲を所定値に従って設定し、前記検索文字列に一致する文字列がないときは前記属性情報によって単語を抽出する範囲を定める抽出範囲設定手段と、前記抽出範囲の文字情報に対して形態素解析を行って解析結果から名詞の単語を取り出し、取り出した単語について出現度数をカウントして、前記出現度数が所定の値以上であった単語をキーワード候補とする単語抽出手段とを有する
ことを特徴とする付記１記載の情報検索端末。
【００４０】
（付記５）  情報検索装置にキーワードを含む検索情報を与えて検索指示を行う情報検索端末のキーワード生成方法であって、
前記情報検索端末に付属する機器から、前記情報検索端末の周辺の情報を収集し、収集した情報から文字情報を取得する文字情報収集手順と、
前記文字情報の中から検索者によって入力された検索文字列に関連する単語を抽出し、抽出した単語をキーワード候補とするキーワード候補抽出手順と、
キーワード候補の単語と前記検索文字列とを検索用のキーワードとして前記情報検索装置に検索指示する検索指示手順と
を有することを特徴とするキーワード生成方法。
【００４１】
【発明の効果】
本願発明によれば、検索者の周りの情報といった動的リソースを利用することによって、検索者の検索意図を繁栄したキーワードの提示が可能となる。
【図面の簡単な説明】
【図１】本発明の原理図である。
【図２】情報検索端末の実施形態その１である。
【図３】実施形態その１の画面例である。
【図４】実施形態その１の単語抽出例である
【図５】実施形態その１のフロー例である。
【図６】情報検索端末の実施形態その２である。
【図７】実施形態その２の画面例である。
【図８】文字／属性情報記憶部のデータ例である。
【図９】実施形態その２のフロー例である。
【符号の説明】
１：文字情報収集手段
２：キーワード候補抽出手段
３：検索指示手段
１０：情報検索端末
１１：文字情報収集部
１２：抽出範囲設定部
１３：単語抽出部
１４：検索指示部
２０：ネットワーク
３０：情報検索装置
４０：文書ＤＢ
５０：ディスプレイ
６０：カメラ
７０：マイクロフォン
８０：キーボード
１０１：画面情報格納部
１０２：画像情報格納部
１０３：音声情報格納部
１０４：文字情報格納部
１０５：ストップワード・リスト格納部
１０６：文字／属性情報格納部
【図１】
2004199395.tif 000003
【図２】
2004199395.tif 000004
【図３】
2004199395.tif 000005
【図４】
2004199395.tif 000006
【図５】
2004199395.tif 000007
【図６】
2004199395.tif 000008
【図７】
2004199395.tif 000009
【図８】
2004199395.tif 000010
【図９】
2004199395.tif 000011